(57)【要約】【課題】  画面白地の液晶の反射率を維持することによって画像品質の低下を防ぎ、必要に応じて省電力化が可能な表示装置を提供する。【解決手段】  表示されている画像を、電力を供給することなく維持し、かつ該画像にパルス電圧を印加して消去及び書き換えをする表示装置において、画像を表示する表示画面を有する表示体１０１と、表示体１０１に画像を表示するために使用される電力の残量を検知する電圧測定回路１１５、電力残量が所定の電力以下に達したことが検知された場合、表示体１０１の書き換えにかかる電力を低減し、かつ、画像における白地を表現する反射率が低下しない範囲でパルス電圧のパルス条件を調整するコントローラ１１１とを備える。【選択図】  図１
2006065018.tif 000002
【特許請求の範囲】
【請求項１】
表示体に表示されている画像を、電力を供給することなく維持し、かつ前記表示体にパルス状の電圧を印加して画像を書き換える表示装置であって、
反射率の高または低によって画像を表示する表示体と、
前記表示体に表示されている画像を書き換えるために使用される電力の残量を検知する電力残量検知手段と、
前記電力残量検知手段によって電力残量が所定の電力以下に達したことが検知された場合、前記表示画面の書き換えに要する電力を低減し、かつ、前記表示体において高い反射率で表現される領域の反射率を維持できる範囲で前記電圧のパルス条件を変更する電力低減手段と、
を備えることを特徴とする表示装置。
【請求項２】
前記電力低減手段は、前記パルス電圧の周波数を低減することによって前記表示画面の書き換えに要する電力を低減することを特徴とする請求項１に記載の表示装置。
【請求項３】
前記電力低減手段は、前記パルス電圧が印加される総合的な電圧印加時間を延長することを特徴とする請求項２に記載の表示装置。
【請求項４】
前記電力低減手段は、前記パルス電圧の極性反転の回数を低減することによって前記表示画面の書き換えに要する電力を低減することを特徴とする請求項１から３のいずれか１項に記載の表示装置。
【請求項５】
前記電力低減手段は、前記パルス電圧のピークの電圧値を低減することによって前記表示画面の書き換えに要する電力を低減することを特徴とする請求項１から４のいずれか１項に記載の表示装置。
【請求項６】
前記電力低減手段は、前記パルス電圧の極性反転の回数を維持しながらパルス電圧の周波数を低減する第1のモード、前記パルス電圧の電圧印加時間及びピークの電圧値を一定に維持しながらパルス電圧の周波数を低減する第２のモード、前記パルス電圧の電圧印加時間を延長すると共にピークの電圧値を低減し、かつパルス電圧の周波数を低減する第３のモードの少なくとも１つのモードで動作することによって前記表示画面の書き換えに要する電力を低減することを特徴とする請求項１から５のいずれか１項に記載の表示装置。
【請求項７】
前記電力残量検知手段は、電力残量が所定の電力以下に達したことを外部に通知する電力低下通知手段を備えることを特徴とする請求項１から６のいずれか１項に記載の表示装置。
【請求項８】
前記電力低下通知手段は、さらに、電力残量の低下によってパルスの条件を調整しても前記表示画面における画像の書き換えが継続できなくなったことを外部に通知することを特徴とする請求項７に記載の表示装置。
【請求項９】
前記電力低減手段は、前記表示画面の書き換えに要する電力を低減させるか否かを切り換える電力低下切換手段を備えることを特徴とする請求項１から７のいずれか１項に記載の表示装置。
【発明の詳細な説明】
【技術分野】
【０００１】
本発明は、ディスプレイ画面を備えた表示装置にかかり、特にパルス電圧を印加して画像を消去、書き換える表示装置に関する。
【背景技術】
【０００２】
コレステリック液晶を使った表示体（コレステリック液晶表示体）は、電圧を印加して液晶の配向状態を変化させ、光の透過状態を変えることによって画像を表示、消去する。また、コレステリック液晶は、電気的に双安定な部材であって、電力の供給を受けることなくプレーナ配向状態とフォーカルコニック配向状態とを維持することできる。
コレステリック液晶表示体は、プレーナ配向時に液晶のらせんピッチに応じた色の光を反射し、フォーカルコニック配向時に光を透過する。コレステリック液晶表示体は、このようなコレステリック液晶の性質を利用して構成される。すなわち、画像の書き込みにあたっては、液晶に電圧が印加されて液晶の配向状態を選択的にプレーナ配向にする。また、画像の消去にあたっては、液晶に電圧を印加してプレーナ配向をフォーカルコニック配向に戻し、書き込まれた画像を消去する。
【０００３】
画像の消去を本明細書ではリセット、あるいはフォーカルコニックリセットとも記す。
フォーカルコニックリセットを使った方式（ＦＣＲ方式）で液晶表示素子を駆動する従来技術としては、例えば、特許文献１が挙げられる。特許文献１は、画像書込の有無によらずいったん液晶をフォーカルコニックリセットした後に白色表示とする画素をプレーナ配向にし、画像を書き込む。このような特許文献１の処理は、ヒステリシスによって液晶の表示状態の再現性が悪くなることを防ぎ、画像品質を高めるために行われるものである。
【０００４】
なお、ＦＣＲ方式では、液晶劣化を緩和するため、配向の制御に使用される電圧を正負の極性が反転するパルス電圧とする。配向の変化にかかる時間は、パルス電圧の電圧値（ピークの電圧値）や電圧の印加時間等の条件によって変化する。
ところで、近年、コレステリック液晶の双安定性に着目し、コレステリック液晶表示体を用いた電子ブックが開発されている。電子ブックは、文書や画像を書籍の紙媒体に代えてコレステリック液晶表示体に表示し、オペレータの操作に従って表示された情報を書き換える装置である。
【０００５】
このような電子ブックには、人間が書籍のページを繰るのと対比可能な程度の速さで情報を更新することが要求される。また、電子ブックは、一般的にユーザに携帯されて使用されることから、給電することなく長時間使用可能であることが望ましい。したがって、電子ブックとして使用されるコレステリック液晶表示体には、比較的高速度の情報の書き換えと、消費電力の省力化とが要求される。
【特許文献１】特開平１１−３２６８７１号公報
【発明の開示】
【発明が解決しようとする課題】
【０００６】
しかしながら、上記した高速度の情報の書き換えの要求と、消費電力の省力化の要求とは、相反する関係にある。すなわち、高速に書き換えを行うためには、電圧印加時間を短縮しなければならない。そして、短い電圧印加時間で良好な表示状態を得るためには、印加される電圧を高める必要がある。なお、本明細書中でいう電圧印加時間とは、正、負の両方向にパルス電圧が印加されるトータルな時間であり、良好な表示状態とは、画像の白地が画像品質の観点から充分に高い反射率で表現される状態をいう。
【０００７】
コレステリック液晶表示体は、平行に設けられた電極間に液晶（誘電体）を封入する構造であるため、コンデンサと等価とみなされる。コンデンサに蓄えられるエネルギーは、よく知られているように、印加電圧値の二乗に比例する。したがって、書き換え速度を高めるため印加電圧を高めることは、コレステリック液晶表示体の消費電力を大幅に高めることになる。
【０００８】
また、前記したように、正負の極性が反転するパルス電圧を印加するＦＣＲ方式では、パルス電圧の極性が反転するたびに表示体の各走査ライン上で充放電が起こる。このため、極性反転の回数に比例して消費電力が高まるという不具合がある。
本発明は、以上の点に鑑みてなされたものであり、白地の液晶の反射率を維持することによって画像品質の低下を防ぎながら、必要に応じて省電力化が可能な表示装置を提供することを目的とする。
【課題を解決するための手段】
【０００９】
以上の課題を解決するため、本発明の表示装置は、表示体に表示されている画像を、電力を供給することなく維持し、かつ前記表示体にパルス状の電圧を印加して画像を書き換える表示装置であって、反射率の高または低によって画像を表示する表示体と、前記表示体に表示されている画像を書き換えるために使用される電力の残量を検知する電力残量検知手段と、前記電力残量検知手段によって電力残量が所定の電力以下に達したことが検知された場合、前記表示画面の書き換えに要する電力を低減し、かつ、前記表示体において高い反射率で表現される領域の反射率を維持できる範囲で前記電圧のパルス条件を変更する電力低減手段と、を備えることを特徴とする。
【００１０】
このような発明によれば、表示画面に表示された画像を書き換えるために使用される電力の残量を検知することができる。また、電力残量が所定の電力以下に達したことが検知された場合、表示体における高側の反射率が低下しない範囲で前記パルス電圧のパルス条件を調整することにより、表示画面が消費する電力を低減することができる。このため、電力残量が所定の値以下になったときに省電力が可能であり、また、この際に画像の白を表現する液晶の反射率を維持することによって画像品質の低下を防ぐ表示装置を提供することができる。
【００１１】
また、本発明の表示装置は、前記電力低減手段が、前記パルス電圧の周波数を低減することによって前記表示画面の書き換えに要する電力を低減することを特徴とする。
このような発明によれば、記憶性表示体における書き換え速度を低下させ、表示画面の書き換えに要する電力を低減することができる。このため、特に高速の書き換えが要求されない表示装置に適した省電力化が実現できる。
【００１２】
また、本発明の表示装置は、前記電力低減手段が、前記パルス電圧が印加される総合的な電圧印加時間を延長することを特徴とする。
このような発明によれば、電圧印加時間を延長することにより、良好な反射率が得られる印加電圧のピーク値を低下させることができる。印加電圧のピーク値の低下は、表示画面の書き換えに要する電力を効果的に低減することができるので、省力化の効果が高い表示装置を提供することができる。
【００１３】
また、本発明の表示装置は、前記電力低減手段が、前記パルス電圧の極性反転の回数を低減することによって前記表示画面の書き換えに要する電力を低減することを特徴とする。
このような発明によれば、記憶性表示体における表示体容量の充放電回数を少なくすることにより、表示画面の書き換えに要する電力を低減することができる。
【００１４】
また、本発明の表示装置は、前記電力低減手段が、前記パルス電圧のピークの電圧値を低減することによって前記表示画面の書き換えに要する電力を低減することを特徴とする。
このような発明によれば、印加電圧のピーク値を低下させ、表示画面が消費する電力を効果的に低減することができる。したがって、省力化の効果が高い表示装置を提供することができる。
【００１５】
また、本発明の表示装置は、前記電力低減手段が、前記パルス電圧の極性反転の回数を維持しながらパルス電圧の周波数を低減する第1のモード、前記パルス電圧の電圧印加時間及びピークの電圧値を一定に維持しながらパルス電圧の周波数を低減する第２のモード、前記パルス電圧の電圧印加時間を延長すると共にピークの電圧値を低減し、かつパルス電圧の周波数を低減する第３のモードの少なくとも１つのモードで動作することによって前記表示画面の書き換えに要する電力を低減することを特徴とする。
【００１６】
このような発明によれば、複数の動作モードを予め設定し、表示画面の要請に応じた任意の動作モードによって表示画面の書き換えにかかる電力を低減することができる。
また、本発明の表示装置は、前記電力残量検知手段が、電力残量が所定の電力以下に達したことを外部に通知する電力低下通知手段を備えることを特徴とする。
このような発明によれば、電力残量が所定の電力以下に達したことをオペレータが認識し、表示装置の以降の取り扱いについて対処することができる。すなわち、表示装置が未だ給電可能な状態にあれば給電してから外部に持ち出す、あるいはバッテリ等の電源を携帯する等の対処が可能になる。また、表示装置が給電できない状態にある場合、電力残量低下の通知後、使用したい時間が比較的長いので消費電力を低減するという判断をすることができる。また、使用時間が比較的短いため、書き換え速度を優先して消費電力を低下させないという判断もすることができる。
【００１７】
また、本発明の表示装置は、前記電力低下通知手段が、さらに、電力残量の低下によって前記パルス電圧を調整しても前記表示画面における画像書き換えが継続できなくなったことを外部に通知することを特徴とする。
このような発明によれば、電力残量が低下して画像の書き換えができない値に達したことをオペレータが認識し、表示装置の以降の取り扱いについて対処することができる。すなわち、例えば、表示装置を以降も使用したいのであれば、直ちに給電可能な環境に移動するという判断をすることが可能である。また、表示装置の使用を中止してよい場合には、速やかに表示装置をオフするといった判断をすることも可能である。
【００１８】
また、本発明の表示装置は、前記電力低減手段が、前記表示画面の書き換えに要する電力を低減させるか否かを切り換える電力低下切換手段を備えることを特徴とする。
このような発明によれば、電力残量が所定の電力以下に達したとき、表示装置の以降の取り扱いについてオペレータが選択し、切り換えることができる。すなわち、オペレータは、電力低下の後も使用したい時間が比較的長いので消費電力を低減するように表示装置を切り換えることができる。また、使用時間が比較的短いため、書き換え速度を優先して消費電力を低下させないように表示装置を切り換えることができる。
【発明を実施するための最良の形態】
【００１９】
以下、図を参照して本発明に係る表示装置の実施の形態１、実施形態２を説明する。
（実施形態１）
図１は、本発明の実施形態１の表示装置を説明するためのブロック図である。実施形態１の表示装置は、表示体に表示されている画像を、電力を供給することなく維持し、かつ、表示体にパルス状の電圧（パルス電圧）を印加して書き換える構成の表示装置である。このような表示装置としては、例えば、コレステリック液晶やネマティック液晶を使ったものが挙げられる。実施形態１では、コレステリック液晶を使った表示装置をＦＣＲ方式で駆動する表示装置を例示するものとする。
【００２０】
図示した表示装置は、画像を表示する表示画面を有する表示手段を備えている。実施形態１の表示手段は、ディスプレイ画面である表示体１０１と、表示体１０１に対して電圧を印加するデータ電極ドライバ１０３、走査電極ドライバ１０５を含む。
また、表示体１０１は、反射率の高または低によって画像を表示するものである。表示体１０１は、画像の白を最も高い反射率で表現するものとする。
【００２１】
また、実施形態１の表示装置は、表示体１０１の画像を書き換えるために使用される電力の残量を検知する電力残量検知手段である電圧測定回路１１５を備えている。電圧測定回路１１５は、表示装置に電力を供給する電源１１７の電圧を測定することによって表示装置の画像書き換えに使用可能な電力の残量を検知する。
さらに、実施形態１の表示装置は、電力残量検知手段によって電力残量が所定の電力以下に達したことが検知された場合、パルス電圧のパルス条件を調整する電力低減手段を備えている。実施形態１では、クロックパルス発生回路１０９及びコントローラ１１１が電力低減手段として機能する。
【００２２】
なお、クロックパルス発生回路１０９及びコントローラ１１１によるパルス条件の調整は、表示体１０１の画像書き換えに要する電力（以下、消費電力とも記す）を低減し、かつ、表示体１０１の白を表現する際の反射率が低下しない範囲で行われる。
また、実施形態１の表示装置は、表示体１０１に表示される画像のデータ（画像データ）を記憶するＶＲＡＭ１０７を備えている。コントローラ１１１は、ＶＲＡＭ１０７から画像データを受け取り、画像データに応じてデータ電極ドライバ１０３、走査電極ドライバ１０５を制御してパルス電圧を出力させる。この制御は、画像を表示するためにオンされる画素、オフされる画素を決定するために行われる。
【００２３】
なお、パルス電圧の極性は、クロックパルス発生回路１０９が出力するクロックパルス信号に基づいて反転する。実施形態１のコントローラ１１１は、クロックパルス信号を入力し、信号のクロック周波数を変更することによって表示体１０１の画像書き換えに要する電力を低減する。実施形態１の周波数の変更による電力の低減は、周波数を低減することによって行われる。
【００２４】
また、実施形態１の表示装置は、データ電極ドライバ１０３、走査電極ドライバ１０５に電力を供給するドライバ電源１１３を備えている。コントローラ１１１は、ドライバ電源１１３を制御し、表示体１０１に印加されるパルス電圧の電圧値を低下させることにより、さらに表示体１０１の画像書き換えにかかる電力を低減する。
以上述べた実施形態１の表示装置は、以下のように動作する。すなわち、電圧測定回路１１５は、電源１１７の電圧値を常時測定している。そして、測定された電圧値が所定の値以下であった場合、クロックパルス発生回路１０９にクロックパルスの周波数を低下させるように指示する信号を出力する。クロックパルス発生回路１０９は、電圧測定回路１１５によって出力された信号を入力し、クロックパルス信号の周波数を低下させる。
【００２５】
図２は、表示体１０１に印加されるパルス電圧の周波数を低下させた例を示す図である。図２（ａ）は、電源１１７の電圧が所定の値以上の場合にデータ電極ドライバ１０３及び走査電極ドライバ１０５によって表示体１０１に印加されるパルス電圧を示す。図中のｔ1はフォーカルコニックリセットのためにパルス信号を印加する時間である。また、ｔ2は画像を表示するために画素をオンするための選択パルスを印加する時間であり、ｔ3は、パルス電圧が印加される総合的な電圧印加時間である。
【００２６】
また、図２（ｂ）は、電源１１７の電圧が所定の値以下になった場合にデータ電極ドライバ１０３及び走査電極ドライバ１０５によって表示体１０１に印加されるパルス電圧を示す。図中のｔ1´はフォーカルコニックリセットのためにパルス信号を印加する時間である。また、ｔ2´は画像を表示するために画素をオンするための選択パルスを印加する時間であり、ｔ3´は、パルス電圧が印加される総合的な電圧印加時間である。なお、図２（ａ）、（ｂ）は、共に横軸に時間を示し、縦軸に電圧を示している。
【００２７】
図２に示したように、実施形態１の表示装置は、電源１１７の電圧が所定の値以下になったとき、フォーカルコニックリセット、選択パルス共にパルス電圧の周波数を低下させている。また、実施形態１では、周波数を低下させるにあたってパルスの数（極性の反転回数。）を変更しない。このため、実施形態１では、周波数を低減させた場合に総合的な電圧印加時間が延長される。
【００２８】
以上述べた実施形態１によれば、パルス電圧の周波数を低下させたことによってクロックパルス発生回路１０９及びコントローラ１１１の消費電力を低減することができる。また、この際にパルス電圧の極性反転回数を維持して電圧の印加時間をｔ3からｔ3´に延長する。このことにより、実施形態１は、画面において画像の白を表現する反射率を高めることができる。
【００２９】
さらに、実施形態１では、電圧の印加時間を延長したことによって白を表現する反射率が高まるので、コントローラ１１１がドライバ電源１１３を制御して印加される電圧値（ピーク値）をも低くするものとした。印加電圧のピーク値を、図２中にＰ1、Ｐ2、Ｐ1´、Ｐ2´として示す。図２（ｂ）に示すピーク値Ｐ1´、Ｐ2´は、図２（ａ）中に示したＰ1、Ｐ2よりも低い値となっている。
【００３０】
パルス電圧のピーク値を低くしたことにより、実施形態１は、表示体１０１の消費電力をも低減し、表示装置をさらに省力化することができる。
以上述べた実施形態１は、クロックパルス発生回路１０９にクロックパルスの周波数を低下させることによってパルス電圧の周波数を低下させる。このため、コントローラ１１１にかかる負荷を増やすことなく周波数を低下させることができる。このような実施形態１は、コントローラ内部の構成を簡単なものにできるという利点もある。
【００３１】
なお、実施形態１は、以上述べた構成に限定されるものではない。例えば、実施形態１の表示装置は、周波数を低下させた場合に極性の反転回数を維持するものに限定されるものではない。すなわち、実施形態１の表示装置は、消費電力が低減するのであれば、電圧の印加時間を延長した場合に極性反転回数を増やしてもよい。このように構成した場合、液晶の劣化を緩和する効果がいっそう高くなる。
【００３２】
また、実施形態１は、パルス電圧の周波数を低下させることなく、極性の反転回数を低減することによって表示装置の消費電力を低減させるものであってもよい。
さらに、実施形態１は、電源１１７の電圧低下時に自動的に消費電力を低減される構成に限定されるものではない。すなわち、実施形態１は、表示装置に電源１１７の電圧が所定の値以下になったことをオペレータに知らせる手段と、オペレータが表示装置の消費電力を低下させるか否かを切り換える切換手段とを設けることも可能である。
【００３３】
図３は、表示装置の消費電力を低下させるか否かを切換可能にした構成を示す図である。図示した表示装置は、図１に示した表示装置に加え、電源１１７の電圧が所定の値以下になったことをオペレータに通知する通知ランプ３０３と、オペレータによって操作される切換ボタン３０１とを設けたものである。
図３に示した構成では、電圧測定回路１１５が、電源１１７の電力残量が所定の電力以下に達したことを外部に通知する電力低下通知手段である通知ランプ３０３を備えたものである。また、図３に示した表示装置は、消費する電力を低減するか否をオペレータに選択させる電力低下選択手段である切換ボタン３０１を備えている。オペレータは、通知ランプ３０３の点灯や点滅等によって電力残量の低下を認識し、消費電力を低減するか否か判断する。そして、消費電力を低減させると判断した場合、切換ボタン３０１を操作して上記したいずれかの方法で表示装置の消費電力を低減させる。
【００３４】
また、実施形態１の表示装置は、通知ランプ３０３による通知後に限らず、オペレータが切換ボタン３０１を操作したことによって消費電力を低下させることができる。このような構成によれば、オペレータは、表示装置の使用当初から表示装置を省電力化し、より長い時間表示装置を給電することなく使用することが可能である。
さらに、実施形態１の通知ボタン３０３は、電源１１７の電力残量の低下によってパルス電圧を調整しても表示体１０１における画像書き換えが継続できなくなったことを外部に通知することもできる。
【００３５】
このような構成は、例えば、消費電力を低減させるために設定された所定の電圧以下の電圧（表示不可能電圧値とする。）を電圧測定回路１１５に設定する。そして、電圧測定回路１１５が、測定された電圧が表示不可能電圧値に達した場合、表示不可能であることを示す信号を通知ランプ３０３に送信する。通知ランプ３０３は、この信号を受信した場合に点灯等してオペレータに表示不可能であることを通知する。
【００３６】
なお、通知ランプ３０３を用いて電力残量低下と表示不可能との情報をオペレータに通知場合、例えば一方を点灯、他方を点滅によって通知することによって両者をオペレータに識別させることができる。また、電力残量低下時と表示不可能時とで点灯光あるいは点滅光の色を異ならせることも考えられる。
さらに、実施形態１は、通知ランプ３０３を用いて電力残量低下と表示不可能との両方を通知するものに限定されるものでなく、各通知に応じて専用のランプを複数設けるものであってもよい。また、通知手段をランプに限定するものでなく、ブザーや音声等によって表示装置の状態をオペレータに通知してもよい。
【００３７】
次に、以上述べた実施形態１の効果について説明する。図４は、実施形態１で得られる効果について説明するための図であって、本発明の発明者が実測したＦＣＲ方式におけるパルス電圧とリセットされた液晶の反射率との関係を示している。図４において、縦軸が反射率を示し、横軸がパルス電圧の値を示している。反射率は、画像書き換え終了時の液晶の色の程度を表すもので、高いほど液晶が白色に近く、画像の白地の表示状態が良好であることを示している。
【００３８】
また、図４中に示す３種のプロットは、それぞれ１０ｍｓ、５０ｍｓ、２００ｍｓの電圧印加時間を示している。図４によれば、電圧の印加時間が長いほど低い印加電圧値で高い反射率を得ることができることがわかる。より具体的には、リセット時に充分な反射率（反射率Ｒで示す）を得る場合、電圧印加時間が２００ｍｓの場合には４０Ｖの電圧を印加すればよく、電圧印加時間が５０ｍｓの場合には４３Ｖの電圧を印加する必要が生じる。また、電圧印加時間が１０ｍｓの場合、５０Ｖ以上の電圧を印加しなければ反射率Ｒを得ることができない。
【００３９】
したがって、通常時１ラインあたりの選択期間を１０ｍｓに設定し、表示体１０１の省電力化時に２００ｍｓにした場合、極性反転の回数が一定であれば、省電力化時には通常時の６４％の電力で表示体１０１が動作でき、消費電力を３６％低減することができる（（４０／５０）2×１００＝６４）。
（実施形態２）
次に、本発明の実施形態２について説明する。なお、実施形態２の構成は、実施形態１で図３に示した構成と同様であるため、図示を省くものとする。
【００４０】
実施形態２は、コントローラ１１１に外部から入力されるクロックパルス周波数が一定であり、コントローラ１１１が電圧出力タイミング調整機能と、極性反転回数変更機能を有する点で実施形態１と相違する。電圧測定回路１１５は、電源１１７の電力残量が所定の値以下になったことを示す信号をコントローラ１１１に入力する。
実施形態２は、クロックパルス発生回路１０９が常に一定の周波数でクロックパルス信号を出力する。表示体１０１に印加されるパルス電圧の周波数は、コントローラ１１１自身が電圧出力タイミングを調整することによって変更することができる。実施形態２のコントローラ１１１は、このときに極性の反転回数を一定に維持することもでき、低減することもできる。さらに、印加される電圧値を低減することもできる。これにより、実施形態１と比較してより柔軟な波形生成が可能となる。
【００４１】
実施形態２のコントローラ１１１は、消費電力低減の手法を組み合わせて消費電力低減のモードを設定し、設定されたモードのいずれかによって表示装置を動作させる。消費電力低減のモードは、例えば、パルス電圧の極性反転の回数を維持しながらパルス電圧の周波数を低減するモード１、パルス電圧の電圧印加時間及びピークの電圧値を一定に維持しながら周波数を低減するモード２、パルス電圧の電圧印加時間を延長すると共にピークの電圧値を低減し、かつ周波数を低減するモード３が考えられる。実施形態１は、このようなモード１、モード２、モード３の少なくとも１つの動作モードで動作することによって表示体１０１が消費する電力を低減することができる。
【００４２】
図５（ａ）、（ｂ）、（ｃ）、（ｄ）は、実施形態２の動作モードについて説明するための図である。図５（ａ）は、通常時、表示体１０１に加えられるパルス電圧である。図５（ａ）に示したパルス電圧は、ピーク電圧値がＰ3であって、時間ｔ4の間に6回の極性反転が起こる周波数を持つ。
図５（ｂ）は、モード１で表示装置が動作する際のパルス電圧を示している。モード１では、パルス電圧の極性反転の回数を６回に維持しながら、パルス電圧の周波数を低減する。なお、モード１は、周波数を低減して極性反転の回数が一定であることから、電圧の印加時間が必然的にｔ4よりも長くなる。図５（ｂ）に示した例では、周波数を１／２にし、電圧印加時間を２倍にした例を示す。
【００４３】
電圧印加時間を２倍にした実施形態２では、通常時の反射率と同等の反射率を得るために必要な印加電圧値が小さくてよい。このため、図５（ｂ）に示した例では、印加電圧のピーク電圧値もＰ3からＰ4へ低減し、省電力化の効果をいっそう高めることができる。なお、印加電圧のピーク電圧値をＰ3からＰ4へ低減した場合、消費電力を（Ｐ4／Ｐ3）2に低減することができる。
【００４４】
図５（ｃ）は、モード２で表示装置が動作する際のパルス電圧を示している。モード２では、パルス電圧の電圧印加時間をｔ4に維持し、かつ、ピークの電圧値をＰ3に維持する。そして、周波数を低減するので、必然的に極性反転回数が低減する。図５（ｃ）に示した例では、極性反転回数が６回から２回に低減しているので、消費電力を通常時の１／３に低減することができる。
【００４５】
図５（ｄ）は、モード３で表示装置が動作する際のパルス電圧を示している。モード３では、パルス電圧の電圧印加時間を延長すると共にピークの電圧値を低減し、かつ周波数を低減する。図５（ｄ）に示した例では、電圧印加時間を２倍にしてピーク電圧値をＰ3からＰ4へ低減する。さらに、周波数を低減すると共に極性反転回数を６回から２回に低減している。このようなモード３によれば、消費電力を（Ｐ4／Ｐ3）2×１／３に低減することができる。
【００４６】
また、実施形態２において、図３で説明した切換ボタンを設ける場合、切換ボタンをモード１、モード２、モード３から任意の動作モードを選択可能に構成し、オペレータが所望の省電力モードを選択可能にしてもよい。このような構成によれば、モード１ないし３の省電力化によって得られる表示装置の書き換え速度や表示体１０１の白地の状態からオペレータが所望の動作モードを選択することができる。
【００４７】
さらに、極性の反転回数を減らすモードで表示装置を動作させる実施形態２は、動作の間に液晶の品質が劣化するおそれがある。液晶品質劣化を防ぐため、実施形態２は、例えばコントローラ１１１が極性反転回数を低減しながら連続して動作した時間を計時する。そして、計時された動作時間が所定の時間に達した場合、通知ランプ３０３等によって通知する。オペレータは、通知によって液晶が劣化するおそれがあることを認識し、極性反転回数を低減するモード２、またはモード３による動作を続行するか否かを判断することができる。
【００４８】
また、以上の構成は、コントローラ１１１が極性反転回数を低減しながら連続して動作した時間を計時するものに限定されるものではない。例えば、極性反転回数を低減して動作した時間を計時すると共に加算し、加算時間が所定の時間に達したときオペレータに通知するものであってもよい。
以上述べた本発明の実施形態１、実施形態２によれば、表示体の書き換え速度または液晶劣化の緩和より消費電力の低減を優先した動作のモードを設定することができる。そして、電力残量が所定の値よりも低下したとき、必要に応じて消費電力低減を優先したモードで表示装置を動作させることができる。
【００４９】
さらに、実施形態１、実施形態２は、電力残量が所定の値以下になったことを、オペレータに通知することができる。このため、オペレータは、電力残量が所定の値以下に達したとき、以降の表示装置の取り扱いについて判断することができる。さらに、実施形態１、実施形態２は、オペレータの判断によって動作のモードを選択することが可能である。このため、実施形態１、実施形態２は、電力残量が所定の値に達した後、オペレータが望むように表示装置を動作させることができる。
【図面の簡単な説明】
【００５０】
【図１】本発明の実施形態１の表示装置を説明するためのブロック図である。
【図２】本発明の実施形態１において表示体に印加されるパルス電圧の周波数を低下させた例を示す図である。
【図３】本発明の実施形態１において、オペレータが表示装置の消費電力を低下させるか否かを選択可能にした構成を示す図である。
【図４】本発明の実施形態１で得られる効果について説明するための図である。
【図５】本発明の実施形態２の動作モードについて説明するための図である。
【符号の説明】
【００５１】
１０１  表示体、１０３  データ電極ドライバ、１０５  走査電極ドライバ、
１０９  クロックパルス発生回路、１１１  コントローラ、
１１３  ドライバ電源、  １１５  電圧測定回路、１１７  電源
３０１  切換ボタン、３０３  通知ランプ
【図１】
2006065018.tif 000003
【図２】
2006065018.tif 000004
【図３】
2006065018.tif 000005
【図４】
2006065018.tif 000006
【図５】
2006065018.tif 000007